(57)【要約】      （修正有）【課題】歩きスマホやポケモンGOを操作中の衝突事故を防止する。【解決手段】スマホ１の裏に取り付けたＬ型台板１１に鏡１２を取り付け、スマホ使用者の目３はスマホ画面２を見ると共に鏡の画面も見え、対面から来た人８を鏡で見ることができる。または、スマホの側面に鏡を取り付けることもできる。または、スマホの筐体に前方監視用カメラを取り付け、筐体の上面にディスプレイを設けて、カメラが前方を監視して前方像が画面で見られるので、ぶつかる前に避けることができる。【選択図】図２
2018033053.tif 000002
【特許請求の範囲】
【請求項１】
歩きスマホ等スマホ使用時に、車や人などが接近した事を光、音、画像等で警告する事を特徴とするスマホ及び/又はアダプタ。
【発明の詳細な説明】
【技術分野】
【０００１】
本発明はスマホ使用による事故防止である
【背景技術】
【０００２】
歩きスマホを使用中、相手にぶつかる。特にポケモンGOでは
事故が多発している。
【発明の概要】
【発明が解決しようとする課題】
【０００３】
歩きスマホ、特にポケモンGO使用中の事故を防止する
【課題を解決するための手段】
【０００４】
スマホ又はスマホ補助具に接近するものを検知するものを設け、    
スマホ使用者に警告を与え、事故を未然に防止する。
【発明の効果】
【０００５】
スマホによる事故を未然に防止出来るので、事故による損害を
無くし安全にスマホを使用でき、スマホ利用による経済効果が
更に拡大して社会に貢献出来る全国民必須の発明である。
また付随的効果としては、本発明によりスマホの画面が見やす
く操作もしやすくなり、スマホの保持が容易になる効果もある。
【図面の簡単な説明】
【０００６】
【図１】スマホ又はポケモンGO使用による事故説明図
【図２】本発明実施例1の説明の側面図
【図３】同上  上図面
【図４】本発明実施例2のアダプタ式の側面図
【図５】本発明第3の実施例の側面図
【図６】本発明第4の実施例の平面図
【図７】本発明第5の実施例の側面図
【図８】本発明第6の実施例のアダプタの側面図
【図９】本発明第7の実施例アダプタの平面図
【図１０】本発明第8の実施例スマホの横断面図
【図１１】同上平面図
【図１２】本発明第9の実施例スマホの横断面図
【図１３】本発明第10実施例の上面図
【図１４】本発明第11の実施例の上面図
【図１５】同上  裏面図
【図１６】本発明第12の実施例の上面図
【図１７】同上  裏面図
【図１８】本は発明第13の実施例の上面図
【図１９】同上  側面図
【図２０】本発明第14の実施例の横断面図
【図２１】同上使用説明図
【図２２】本発明第15実施例の平面図
【図２３】同上側面図
【図２４】本発明第16実施例の側面図
【発明を実施するための形態】
【０００７】
図１に示すごとく、スマートフォン1の画面2を、目3で見ながら4歩く人5は、視野4が下のみで対面から歩く人など8が進行9して来ても気がつかず、ぶつかるし、側面から来る人など7にも進行6してぶつかる。特にポケモンGOは画面で夢中で探し廻るので、ぶつかる事故や水に落ちたり事故が多い。
【０００８】
本発明はこれ等を防止する発明で第2図の第1実施例に示すごとく既製のスマホ1の裏に接着剤など10でL型台板11を取り付ける。L型台板11には鏡12が取り付けてあり、スマホ使用者の目3はスマホ1の画面2を見る4と共に本発明鏡12の画像も見る13。対面から来た人8は鏡面12を経て見る14事が出来る。
図3は図2を上部から見た図で、18は折り線でここで鏡12の角度を変えて対面者8が見えるように調節しておく。
【０００９】
図4は本発明第2の実施例で台板11の上に鏡12と接着部を設け台板11は11’のごとく任意の角度に曲がるようになっている。
接着部は発泡ウレタン等15の両面に感圧性接着剤14、16がコーティングされ表面感圧性接着剤(PSA)16の上のリリースライナ17をはがしてPSA16をスマホの裏に貼り付ける。
【００１０】
図5は図4に於いて台板11を折り曲げるのではなくヒンジ19を設けて鏡12の角度を変える第3の実施例である。
【００１１】
図6は本発明第4の実施例で図3の如くスマホの上部に鏡を設けるのではなくスマホ1の側面に鏡13を設けるものである。この鏡13は回転軸20により任意の角度となり鏡面13も大きく対面8をスマホ画面2と同時に広く見る事が出来る。回転軸20は、接着部10によりスマホ1の裏側に取り付けられている。
回転軸20は鏡13の角度を変える回転と軸を折る関節201から成っており、この関節201を折って鏡13をスマホ画面2に重ねる事により携帯時、コンパクトになると同時にスマホ液晶画面を護るプロテクタの兼用にもなる。
【００１２】
図7は本発明第5の実施例で本発明鏡部12を折り返してスマホ1の画面2のプロテクタに兼用するものである。従って台板11は図2の如くスマホ1の裏側でなく、表側に接着10し、ヒンジ19により点線191の如く鏡部12が180°以上に回転してスマホ1の画面2をカバーしてスマホプロテクタと兼用する。
【００１３】
図8は本発明第6の実施例でアダプタ式でアダプタの筐体21に前方監視用カメラ23を傾けて取り付ける。この角度はスマホを見る角度で24が前方水平方向とする筐体21の上面にLCD等のディスプレイ22を設け、筐体21の端部に凹ソケット部25を設け、25をスマホ本体１は差し込みスマホ本体と結合する。スマホ画面を見ていてもカメラ23が常に前方を監視24して前方像が画面22で見られるのでぶつかる前に避けることが出来る。
図9は本発明実施例第7でスマホの周りを囲んで、スマホに取付ける枠251の上部に、ディスプレイ22やカメラ24を設けたもので、枠251の中にスマホ1をはめ込み、スマホ画面1とカメラ24によるアダプタ画面22を同時に見ることが出来るので、アダプタカメラ24からの前方映像がアダプタディスプレイ22に映るので事故を未然に防ぐ事が出来る。
【００１４】
図10は本発明第8の実施例でスマホそのものに本発明を組み込んだスマホ26での側面図である。スマホ本体に従来のカメラ30以外に角度を変えた前方カメラ29を設け、ディスプレイ部2は1枚だがその前部27をカメラ29による前方映像と本来のスマホの映像28を同一の画面2に共存させる。
前方カメラ29の角度は歩きスマホの保持角度を例えば水平に対し、プラス15度とするとカメラ29の傾き角度は水平に対しマイナス15°とすれば正面を撮影する事が出来る。
カメラ30はポケモンGOのARを使用する時に実物背景写すのに必要である。
【００１５】
図11は図10の本発明第8実施例の平面図である。本発明スマホ26のディスプレイが前方映像27とスマホ映像28の二つが表示される。
前方映像27が不要な時、つまり歩きスマホやポケモンGOを使用しない時は映像27部に映像28部が加わった大画面なスマホ画面とする事が出来るメリットがある。
【００１６】
図12は本発明の第9の実施例であってスマホ35に角度が自在なるカメラを設けた側面図である。本実施例はカメラが一個で前方を監視出来るし写真も撮影出来る。つまり図10は2個のカメラ28、30を必要とするが図12の本発明第9が実施例はカメラが1個で自動的に角度が変わり兼用させる。
カメラ31はアーム32に取付てありアーム32はピポット33を中心に角度を変えるようになっている。又、アーム32とアーム66は所定角度で一体となっており、アーム66の先に重錘67がある。重錘67は常に下を向いており、歩きスマホやポケモンGOの使用時スマホ35をどんな角度に傾けて使用しても常に自動的にカメラ31は正面の水平方向24に向くようになっており、前方を監視する。又、カメラ使用時はスマホ35を垂直に立てればカメラ角度が31’となり撮影34が出来る。
【００１７】
図13は本発明第10の実施例の平面図である。カメラ３１の角度を軸33を介してギザロール36で手折で任意の角度に固定する。画面２の映り方は図11と同様である。
【００１８】
図14は本発明第１１の実施例で本発明手袋３７に腕４５に通して拇指46を拇穴38に通し、他の指４７と拇指46でスマホ１を握る。39はほころび縫い部である。
図15は本発明手袋の裏側を示し、本発明接近通報装置４０が取付けてある。接近通報装置40の中味はバッテリ41、近接センサ42、LED等発光部43、セラミック等発音部44、回路58である。本発明手袋３７をしていれば歩きスマホでもポケモンGOで遊んでいても近接センサ４２で点灯や音が鳴り衝突を防止できる。
回路４８はこれらの動作をさす回路と共に「ポケモンGOプラス」の回路も４８の中に入っているのでポケモンの位置を知らせることも出来る。
【００１９】
図16は本発明の第12の実施例であって、本発明手袋37にはスマホケース49を縫い付け52てある。50はスマホケースにあるエッジで、21でスマホを支える。51はカメラ用穴である。
本発明スマホケース49の裏には図17に示す如く図15の接近通報装置40（41、42、43、44、58）が取付けられているので図１４の如くスマホ1を拇指46と他の指47で保持する必要が無く、両手が空いていて且つ図15と同じ近接警告効果を有する発明である。
【００２０】
図18は本発明第１３の実施例の平面図、図19は側面図である。本発明手袋37にスマホケース49を固着し、このスマホケース49にディスプレイ・カメラ支援板53を設け、このディスプレイ・カメラ支持板にディスプレイ54を固定する。
ディスプレイ54はヒンジ55によりカメラ部56と接合されており、レンズ57により前方を撮影し、その映像はディスプレイ54に表示される。
スマホ1をスマホケース49に入れ、スマホやポケモンGOを見ている角度に合わせて、ヒンジ55の角度をレンズ58が常に正面を向いているように調整して使用する。
【００２１】
図20は本発明第14実施例の横断面図である。腕輪59の中に配線60があり腕輪59の上部にLED等ライトを設け、腕輪59の下部に超音波、赤外線等近接センサ61、バイブレータ62、回路やバッテリ63を設ける。回路はセンサ、バイブレータ、LEDのほか「ポケモンGOプラス」の回路を含めた場合も本発明に含まれる。
図21は本発明第14実施例を使用している説明図でスマホ1を手の指46、
47で握り、画面1を見ているが、その時手のひら58が持ち上がっているので近接センサ61の超音波や赤外線等65が手の掌58で邪魔にならないで、前方の人や車の接近を感知し、音６２や光６４で知らせる事が出来、又、ポケモンの位置を知ることができる。
【００２２】
図22は本発明第15実施例の平面図で図23はその側面図である。プラスティック製等のスマホケース68に土手681があり、この中にスマホ1を入れるのであるが、このスマホケース68の裏側に接近警報装置69を接着剤73などで固着する。71は警報音を出すスピーカ孔であり、音は接着剤73の厚みを利用した711の如く外へ聞こえる。
本発明者が試作した近接警報装置は実験により左右120°（図22）、上下6°で５m（図23）で感知して警報音が鳴った。
近接警報装置69の機能は、近接警報以外にこの装置部分を手で持つことによりスマホを持ちやすくする機能と、スマホを机などに置いて操作する場合、前記近接警報装置69がスマホの枕になってスマホ画面が手前に傾斜し、スマホ画面を見やすくし、また操作しやすくする機能も持っている。
【００２３】
図24は、本発明第16実施例であって接近警報装置69に発泡ウレタン74の両側に感圧性接着剤75、76をコーティングし、その上にリリースライナ77を設けた接着剤73を設けたものである。これを使用するには先ずリリースライナ77をはぎ取り露出した接着面76をスマホ1に直接貼るか、スマホケースに貼る。
【００２４】
本発明第17の実施例が公知のスマホの持っている赤外線発射能力を強化して3m程度にある対象物に当たり、それが対象物に反射して返って来た赤外線を公知スマホにある赤外線受信機能で受け、受けた入力を新たに追加した警報回路により公知スマホにあるスピーカを鳴らすのが本発明第17実施例である。本実施例の場合スマホの外観は公知のスマホと変わらないので図示はしない。
前記のほか種々の変形が考えられるが、歩きスマホ又はスマホGOを使用中に接近物を注意喚起するものはすべて本発明に含まれる。
【産業上の利用可能性】
【００２５】
現在社会的に大問題になっている歩きスマホやポケモンGO使用によるぶつかり事故を防止出来、社会問題を解決し、産業上でも利用可能性大である。
【符号の説明】
【００２６】
1.     スマホ
2.     スマホ画面
3.     スマホ使用者の目
4.     スマホ使用者がスマホ画面１を見ている方向
5.     スマホ使用者
6.,6’. スマホ使用者の進行方向
7. スマホ使用者の前を横切る人
8. スマホ使用者の前方から向かって来る人
9. スマホ使用者の前方から来る人の進行方向
10. スマホ１と鏡支持板１１を接着する接着剤
11. 鏡１２を支持する板
12. 鏡
13. スマホ使用者が鏡を見ている目線
14. 鏡を通じ対向する人８を見る目線
15. 発泡ウレタン等クッション材
16. 感圧材接着剤
17. リリースライナ
18. 折れ曲げ線
19. 鏡１２の角度を変えるヒンジ
191. 鏡12の折りたたみ線
20. 鏡１３の角度を変える回転軸
21. スマホアダプタ本体
22. LED等のディスプレイ
23. 前方監視用傾めカメラ
24. 前方監視撮影方向
25. スマホ本体に結合するソケット
251. スマホ本体に結合する枠
26. 前方とスマホの２カメラと前方映像とスマホ映像を見れる本発明スマホ
27. 前方画面
28. スマホ画面
29. 前方用カメラ
30. スマホ用カメラ
31.,31’. 前方用（31）スマホ用（31’）兼用変角カメラ
32. 前方用スマホ用兼用変角カメラアーム
33. 前方用スマホ用兼用変角カメラアームの回転軸
34. スマホカメラ撮影方向
35. 前方スマホ兼用カメラを設置した本発明スマホ
36. カメラ角度調整用ギザギザを円周につけた小車？
37. 本発明手袋
38. 同上拇用穴
39. 同上周辺かがり縫い
40. 本発明接近通報装置
41. 同上用バッテリ
42. 同上用赤外線超音波等近接センサ
43. LED型発明部
44. セラミック等発音部
45. スマホ使用者の腕
46. 同上拇指
47. 同上その他スマホを保持する指
48. 接近検知装置の回路とポケモンGOプラスの回路
49. スマホを取り付けるケース
50. 同上枠
51. 同上カメラ用穴
52. 同上を手袋37に取り付ける縫い目
53. 同上にディスプレイ５４を取り付ける板
54. 前方監視ディスプレイ
55. 前方監視カメラ角度調査ヒンジ
56. 前方監視用カメラ
57. 同上レンズ
58. スマホ使用者の掌
59. 本発明腕輪
60. 腕輪内の配線
61. 超音波赤外線等近接センサ
62. 警告バイブレータ
63. 回路やバッテリ
64. LED等警告ライト
65. 超音波、赤外線等近接感知線
66. カメラアーム32と一体になった重錘67用アーム
67. カメラ31を自動的に正面に向ける重錘
68. スマホケース
684. スマホケース囲み
69. 近接警報装置
70. 前方距離装置
71. 警報スピーカ
72. 近接警報装置スイッチ
73. 接着剤
74. ウレタン等発泡シート
75. 感圧性接着剤（近接警報装置69へ接着）
76. 感圧性接着剤（スマホ1へ接着）
77. スマホ1の接着時にはがすリリース
【図１】
2018033053.tif 000003
【図２】
2018033053.tif 000004
【図３】
2018033053.tif 000005
【図４】
2018033053.tif 000006
【図５】
2018033053.tif 000007
【図６】
2018033053.tif 000008
【図７】
2018033053.tif 000009
【図８】
2018033053.tif 000010
【図９】
2018033053.tif 000011
【図１０】
2018033053.tif 000012
【図１１】
2018033053.tif 000013
【図１２】
2018033053.tif 000014
【図１３】
2018033053.tif 000015
【図１４】
2018033053.tif 000016
【図１５】
2018033053.tif 000017
【図１６】
2018033053.tif 000018
【図１７】
2018033053.tif 000019
【図１８】
2018033053.tif 000020
【図１９】
2018033053.tif 000021
【図２０】
2018033053.tif 000022
【図２１】
2018033053.tif 000023
【図２２】
2018033053.tif 000024
【図２３】
2018033053.tif 000025
【図２４】
2018033053.tif 000026